(57)【要約】【課題】記録媒体の歪みや劣化を防止する。【解決手段】インクジェット記録装置１は、記録媒体Ｋにインクで画像を記録する複数の画像記録部２，…と、画像記録部２，…を制御する制御部６とを備える。画像記録部２，…は、記録媒体Ｋに向かってインクを吐出する少なくとも１つの記録ヘッド３，３と、記録ヘッド３，３から吐出されたインクの着弾した着弾領域の記録媒体Ｋを加熱する照射装置４とを有する。制御部６は、画像記録部２，…の記録ヘッド３，３がインクを吐出しないときには、吐出するときと比較して、当該画像記録部２，…の照射装置４による記録媒体Ｋの加熱量を低減する。【選択図】図１
2007083574.tif 000002
【特許請求の範囲】
【請求項１】
記録媒体にインクで画像を記録する複数の画像記録部と、
前記画像記録部を制御する第１制御部とを備え、
前記画像記録部は、
記録媒体に向かってインクを吐出する少なくとも１つの記録ヘッドと、
前記記録ヘッドから吐出されたインクの着弾した着弾領域の記録媒体を加熱する第１加熱部とを有し、
前記第１制御部は、
前記画像記録部の前記記録ヘッドがインクを吐出しないときには、吐出するときと比較して、当該画像記録部の前記第１加熱部による記録媒体の加熱量を低減することを特徴とするインクジェット記録装置。
【請求項２】
請求項１記載のインクジェット記録装置において、
前記第１制御部は、
前記画像記録部の前記記録ヘッドがインクを吐出しないときには、当該画像記録部の前記第１加熱部による記録媒体の加熱量を０にすることを特徴とするインクジェット記録装置。
【請求項３】
請求項１または２記載のインクジェット記録装置において、
前記第１制御部は、画像データまたは画像記録条件に基づいて前記第１加熱部による記録媒体の加熱量を制御することを特徴とするインクジェット記録装置。
【請求項４】
請求項３記載のインクジェット記録装置において、
画像記録に使用するインクの種類を画像データに基づいて判別するインク判別部を備え、
複数の前記記録ヘッドは、互いに異なる種類のインクを吐出するものであり、
前記第１制御部は、前記インク判別部による判別結果に基づいて前記第１加熱部による記録媒体の加熱量を制御することを特徴とするインクジェット記録装置。
【請求項５】
請求項１〜４の何れか一項に記載のインクジェット記録装置において、
前記第１加熱部は、
記録媒体の前記着弾領域に光を照射する照射装置と、
記録媒体の前記着弾領域を裏面側から支持する第１プラテンとの少なくとも一方であることを特徴とするインクジェット記録装置。
【請求項６】
請求項５記載のインクジェット記録装置において、
前記第１加熱部は、前記照射装置であり、
前記第１制御部は、前記照射装置による照射量を調整することにより、記録媒体の加熱量を制御することを特徴とするインクジェット記録装置。
【請求項７】
請求項６記載のインクジェット記録装置において、
前記記録ヘッドは、光硬化性のインクを吐出することを特徴とするインクジェット記録装置。
【請求項８】
請求項５記載のインクジェット記録装置において、
記録媒体の前記着弾領域に光を照射する照射装置を備え、
前記記録ヘッドは、光硬化性のインクを吐出し、
前記第１加熱部は、前記第１プラテンであることを特徴とするインクジェット記録装置。
【請求項９】
記録媒体を搬送方向に搬送する搬送装置と、
前記搬送方向と交差する方向に延在した状態で当該搬送方向に配列され、ライン記録方式によって記録媒体にインクで画像を記録する複数の画像記録部と、
前記画像記録部を制御する第２制御部とを備え、
前記画像記録部は、
記録媒体に向かってインクを吐出する少なくとも１つの記録ヘッドと、
前記記録ヘッドから吐出されたインクの着弾した着弾領域の記録媒体を加熱する第１加熱部と、
前記第１加熱部よりも前記搬送方向の上流側で記録媒体を加熱する第２加熱部とを有し、
前記第２制御部は、
前記第１加熱部による記録媒体の加熱量を変更可能であり、
前記搬送方向における上流側の前記画像記録部の前記第１加熱部による記録媒体の加熱量に基づいて、当該上流側の画像記録部よりも前記搬送方向の下流側の前記画像記録部の前記第２加熱部による記録媒体の加熱量を制御することを特徴とするインクジェット記録装置。
【請求項１０】
請求項９記載のインクジェット記録装置において、
前記第２制御部は、
前記上流側の画像記録部の前記第１加熱部による記録媒体の加熱量と、当該上流側の画像記録部の前記第２加熱部による記録媒体の加熱量とに基づいて、前記下流側の画像記録部の前記第２加熱部による記録媒体の加熱量を制御することを特徴とするインクジェット記録装置。
【請求項１１】
請求項９記載のインクジェット記録装置において、
前記画像記録部は、記録媒体を裏面側から支持する第３プラテンを備え、
前記第２制御部は、
前記上流側の画像記録部の前記第１加熱部による記録媒体の加熱量と、この上流側の画像記録部の前記第３プラテンの温度とに基づいて、前記下流側の前記画像記録部の前記第２加熱部による記録媒体の加熱量を制御することを特徴とするインクジェット記録装置。
【請求項１２】
請求項９〜１１の何れか一項に記載のインクジェット記録装置において、
前記第２制御部は、
前記上流側の画像記録部の第１加熱部による記録媒体の加熱量が所定の第１加熱量よりも大きい場合には、小さい場合と比較して、前記下流側の前記画像記録部の前記第２加熱部による記録媒体の加熱量を低減することを特徴とするインクジェット記録装置。
【請求項１３】
請求項９〜１１の何れか一項に記載のインクジェット記録装置において、
前記第２制御部は、
前記画像記録部の前記記録ヘッドがインクを吐出しないときには、吐出するときと比較して、当該画像記録部の前記第１加熱部による記録媒体の加熱量を低減し、
前記上流側の画像記録部の第１加熱部による記録媒体の加熱量を低減しない場合には、低減する場合と比較して、前記下流側の前記画像記録部の前記第２加熱部による記録媒体の加熱量を低減することを特徴とするインクジェット記録装置。
【請求項１４】
請求項９〜１３の何れか一項に記載のインクジェット記録装置において、
前記第２制御部は、
前記上流側の画像記録部の第１加熱部による記録媒体の加熱量が所定の第２加熱量よりも小さい場合には、大きい場合と比較して、前記下流側の前記画像記録部の前記第２加熱部による記録媒体の加熱量を増加させることを特徴とするインクジェット記録装置。
【請求項１５】
請求項９〜１３の何れか一項に記載のインクジェット記録装置において、
前記第２制御部は、
前記画像記録部の前記記録ヘッドがインクを吐出しないときには、吐出するときと比較して、当該画像記録部の前記第１加熱部による記録媒体の加熱量を低減し、
前記上流側の画像記録部の第１加熱部による記録媒体の加熱量を低減する場合には、低減しない場合と比較して、前記下流側の前記画像記録部の前記第２加熱部による記録媒体の加熱量を増加させることを特徴とするインクジェット記録装置。
【請求項１６】
請求項９〜１５の何れか一項に記載のインクジェット記録装置において、
前記第２加熱部は、
記録媒体の前記着弾領域よりも前記搬送方向の上流側の領域を裏面側から支持する第２プラテンと、
前記搬送方向に記録媒体を搬送する搬送ローラと、
記録媒体から離れて配設される非接触加熱装置との何れか一つであることを特徴とするインクジェット記録装置。
【請求項１７】
請求項９〜１６の何れか一項に記載のインクジェット記録装置において、
前記第１加熱部は、
記録媒体の前記着弾領域に光を照射する照射装置と、
記録媒体の前記着弾領域を裏面側から支持する第１プラテンとの少なくとも一方であることを特徴とするインクジェット記録装置。
【請求項１８】
請求項１７記載のインクジェット記録装置において、
前記第１加熱部は、前記照射装置であることを特徴とするインクジェット記録装置。
【請求項１９】
請求項１８記載のインクジェット記録装置において、
前記記録ヘッドは、光硬化性のインクを吐出することを特徴とするインクジェット記録装置。
【請求項２０】
請求項１７記載のインクジェット記録装置において、
記録媒体の前記着弾領域に光を照射する照射装置を備え、
前記記録ヘッドは、光硬化性のインクを吐出し、
前記第１加熱部は、前記第１プラテンであることを特徴とするインクジェット記録装置。
【請求項２１】
請求項７，８，１９または２０記載のインクジェット記録装置において、
前記照射装置は、記録媒体に紫外線を照射し、
前記記録ヘッドは、紫外線硬化性のインクを吐出することを特徴とするインクジェット記録装置。
【請求項２２】
請求項７，８，１９〜２１の何れか一項に記載のインクジェット記録装置において、
前記記録ヘッドは、カチオン重合系のインクを吐出することを特徴とするインクジェット記録装置。
【発明の詳細な説明】
【技術分野】
【０００１】
本発明は、記録媒体に画像を記録するインクジェット記録装置に関する。
【背景技術】
【０００２】
従来、紙や布などの様々な記録媒体に画像を記録する装置として、紫外線等の光によって硬化する光硬化型インクを用いたインクジェット記録装置が知られており、このようなインクジェット記録装置には、光硬化型インクを記録媒体に吐出する記録ヘッドと、記録媒体上に着弾したインクに光を照射する照射装置とが設けられている。
【０００３】
ところで、光硬化型インクには、種々の環境条件によって硬化の度合いが変化するという性質があり、特に、カチオン重合系の紫外線硬化型インクは重合反応の性質上、温度や湿度によって硬化反応が影響を受けやすい。
【０００４】
そのため、カチオン重合系のインクを用いるインクジェット記録装置では、温度や湿度による影響を防止して硬化反応を活性化させる観点から、記録媒体を加熱することで、記録媒体上のインクを間接的に加熱している。より詳細には、このインクジェット記録装置には、記録媒体を加熱する手段として、光を照射しつつ光源からの輻射熱で記録媒体を加熱する照射装置や、記録媒体を積極的に加熱可能なプラテン等が設けられており、これら照射装置やプラテンは記録ヘッドに対応して配設されている（例えば、特許文献１〜３参照）。
【特許文献１】特開２００４−２０３０２５号公報
【特許文献２】特開２００４−２５５８１８号公報
【特許文献３】特開２００２−１３７３７５号公報
【発明の開示】
【発明が解決しようとする課題】
【０００５】
しかしながら、上記特許文献に開示のインクジェット記録装置では、何れかの記録ヘッドがインクを吐出しないときにも、インクを吐出する場合と同様に、この記録ヘッドに対応する照射装置やプラテンによって記録媒体が加熱されてしまう。そのため、インクの硬化とは無関係に、つまり不必要に記録媒体が加熱されてしまい、記録媒体に歪みや劣化が生じている。
【０００６】
また、特にライン記録方式のインクジェット記録装置では、記録媒体の搬送方向における上流側の照射装置による加熱量に関わらず、下流側のプラテンが一定の加熱量で記録媒体を加熱するので、下流側に搬送されるほど記録媒体が熱を蓄積してしまい、記録媒体に歪みや劣化が生じている。
【０００７】
本発明の課題は、記録媒体の歪みや劣化を防止することができるインクジェット記録装置を提供することである。
【課題を解決するための手段】
【０００８】
請求項１記載の発明は、インクジェット記録装置において、
記録媒体にインクで画像を記録する複数の画像記録部と、
前記画像記録部を制御する第１制御部とを備え、
前記画像記録部は、
記録媒体に向かってインクを吐出する少なくとも１つの記録ヘッドと、
前記記録ヘッドから吐出されたインクの着弾した着弾領域の記録媒体を加熱する第１加熱部とを有し、
前記第１制御部は、
前記画像記録部の前記記録ヘッドがインクを吐出しないときには、吐出するときと比較して、当該画像記録部の前記第１加熱部による記録媒体の加熱量を低減することを特徴とする。
【０００９】
ここで、記録ヘッドがインクを吐出しないとは、画像全体の少なくとも一部についてインクを吐出しないことをいう。
【００１０】
請求項２記載の発明は、請求項１記載のインクジェット記録装置において、
前記第１制御部は、
前記画像記録部の前記記録ヘッドがインクを吐出しないときには、当該画像記録部の前記第１加熱部による記録媒体の加熱量を０にすることを特徴とする。
【００１１】
請求項３記載の発明は、請求項１または２記載のインクジェット記録装置において、
前記第１制御部は、画像データまたは画像記録条件に基づいて前記第１加熱部による記録媒体の加熱量を制御することを特徴とする。
【００１２】
請求項４記載の発明は、請求項３記載のインクジェット記録装置において、
画像記録に使用するインクの種類を画像データに基づいて判別するインク判別部を備え、
複数の前記記録ヘッドは、互いに異なる種類のインクを吐出するものであり、
前記第１制御部は、前記インク判別部による判別結果に基づいて前記第１加熱部による記録媒体の加熱量を制御することを特徴とする。
【００１３】
請求項５記載の発明は、請求項１〜４の何れか一項に記載のインクジェット記録装置において、
前記第１加熱部は、
記録媒体の前記着弾領域に光を照射する照射装置と、
記録媒体の前記着弾領域を裏面側から支持する第１プラテンとの少なくとも一方であることを特徴とする。
【００１４】
請求項６記載の発明は、請求項５記載のインクジェット記録装置において、
前記第１加熱部は、前記照射装置であり、
前記第１制御部は、前記照射装置による照射量を調整することにより、記録媒体の加熱量を制御することを特徴とする。
【００１５】
請求項７記載の発明は、請求項６記載のインクジェット記録装置において、
前記記録ヘッドは、光硬化性のインクを吐出することを特徴とする。
【００１６】
請求項８記載の発明は、請求項５記載のインクジェット記録装置において、
記録媒体の前記着弾領域に光を照射する照射装置を備え、
前記記録ヘッドは、光硬化性のインクを吐出し、
前記第１加熱部は、前記第１プラテンであることを特徴とする。
【００１７】
請求項９記載の発明は、インクジェット記録装置において、
記録媒体を搬送方向に搬送する搬送装置と、
前記搬送方向と交差する方向に延在した状態で当該搬送方向に配列され、ライン記録方式によって記録媒体にインクで画像を記録する複数の画像記録部と、
前記画像記録部を制御する第２制御部とを備え、
前記画像記録部は、
記録媒体に向かってインクを吐出する少なくとも１つの記録ヘッドと、
前記記録ヘッドから吐出されたインクの着弾した着弾領域の記録媒体を加熱する第１加熱部と、
前記第１加熱部よりも前記搬送方向の上流側で記録媒体を加熱する第２加熱部とを有し、
前記第２制御部は、
前記第１加熱部による記録媒体の加熱量を変更可能であり、
前記搬送方向における上流側の前記画像記録部の前記第１加熱部による記録媒体の加熱量に基づいて、当該上流側の画像記録部よりも前記搬送方向の下流側の前記画像記録部の前記第２加熱部による記録媒体の加熱量を制御することを特徴とする。
【００１８】
請求項１０記載の発明は、請求項９記載のインクジェット記録装置において、
前記第２制御部は、
前記上流側の画像記録部の前記第１加熱部による記録媒体の加熱量と、当該上流側の画像記録部の前記第２加熱部による記録媒体の加熱量とに基づいて、前記下流側の画像記録部の前記第２加熱部による記録媒体の加熱量を制御することを特徴とする。
【００１９】
請求項１１記載の発明は、請求項９記載のインクジェット記録装置において、
前記画像記録部は、記録媒体を裏面側から支持する第３プラテンを備え、
前記第２制御部は、
前記上流側の画像記録部の前記第１加熱部による記録媒体の加熱量と、この上流側の画像記録部の前記第３プラテンの温度とに基づいて、前記下流側の前記画像記録部の前記第２加熱部による記録媒体の加熱量を制御することを特徴とする。
【００２０】
請求項１２記載の発明は、請求項９〜１１の何れか一項に記載のインクジェット記録装置において、
前記第２制御部は、
前記上流側の画像記録部の第１加熱部による記録媒体の加熱量が所定の第１加熱量よりも大きい場合には、小さい場合と比較して、前記下流側の前記画像記録部の前記第２加熱部による記録媒体の加熱量を低減することを特徴とする。
【００２１】
請求項１３記載の発明は、請求項９〜１１の何れか一項に記載のインクジェット記録装置において、
前記第２制御部は、
前記画像記録部の前記記録ヘッドがインクを吐出しないときには、吐出するときと比較して、当該画像記録部の前記第１加熱部による記録媒体の加熱量を低減し、
前記上流側の画像記録部の第１加熱部による記録媒体の加熱量を低減しない場合には、低減する場合と比較して、前記下流側の前記画像記録部の前記第２加熱部による記録媒体の加熱量を低減することを特徴とする。
【００２２】
請求項１４記載の発明は、請求項９〜１３の何れか一項に記載のインクジェット記録装置において、
前記第２制御部は、
前記上流側の画像記録部の第１加熱部による記録媒体の加熱量が所定の第２加熱量よりも小さい場合には、大きい場合と比較して、前記下流側の前記画像記録部の前記第２加熱部による記録媒体の加熱量を増加させることを特徴とする。
【００２３】
請求項１５記載の発明は、請求項９〜１３の何れか一項に記載のインクジェット記録装置において、
前記第２制御部は、
前記画像記録部の前記記録ヘッドがインクを吐出しないときには、吐出するときと比較して、当該画像記録部の前記第１加熱部による記録媒体の加熱量を低減し、
前記上流側の画像記録部の第１加熱部による記録媒体の加熱量を低減する場合には、低減しない場合と比較して、前記下流側の前記画像記録部の前記第２加熱部による記録媒体の加熱量を増加させることを特徴とする。
【００２４】
請求項１６記載の発明は、請求項９〜１５の何れか一項に記載のインクジェット記録装置において、
前記第２加熱部は、
記録媒体の前記着弾領域よりも前記搬送方向の上流側の領域を裏面側から支持する第２プラテンと、
前記搬送方向に記録媒体を搬送する搬送ローラと、
記録媒体から離れて配設される非接触加熱装置との何れか一つであることを特徴とする。
ここで、非接触加熱装置としては、例えば赤外線照射装置などがある。
【００２５】
請求項１７記載の発明は、請求項９〜１６の何れか一項に記載のインクジェット記録装置において、
前記第１加熱部は、
記録媒体の前記着弾領域に光を照射する照射装置と、
記録媒体の前記着弾領域を裏面側から支持する第１プラテンとの少なくとも一方であることを特徴とする。
【００２６】
請求項１８記載の発明は、請求項１７記載のインクジェット記録装置において、
前記第１加熱部は、前記照射装置であることを特徴とする。
【００２７】
請求項１９記載の発明は、請求項１８記載のインクジェット記録装置において、
前記記録ヘッドは、光硬化性のインクを吐出することを特徴とする。
【００２８】
請求項２０記載の発明は、請求項１７記載のインクジェット記録装置において、
記録媒体の前記着弾領域に光を照射する照射装置を備え、
前記記録ヘッドは、光硬化性のインクを吐出し、
前記第１加熱部は、前記第１プラテンであることを特徴とする。
【００２９】
請求項２１記載の発明は、請求項７，８，１９または２０記載のインクジェット記録装置において、
前記照射装置は、記録媒体に紫外線を照射し、
前記記録ヘッドは、紫外線硬化性のインクを吐出することを特徴とする。
【００３０】
請求項２２記載の発明は、請求項７，８，１９〜２１の何れか一項に記載のインクジェット記録装置において、
前記記録ヘッドは、カチオン重合系のインクを吐出することを特徴とする。
【発明の効果】
【００３１】
請求項１〜２２の何れか一項に記載の発明によれば、記録媒体の歪みや劣化を防止することができる。
【発明を実施するための最良の形態】
【００３２】
以下、本発明の実施の形態について、図面を参照して説明する。
＜第１の実施の形態＞
図１は、本発明に係るインクジェット記録装置１の概略構成を示す側面図である。
この図に示すように、インクジェット記録装置１は、供給トレイ１０及び排出トレイ１１を備えている。
【００３３】
供給トレイ１０は、未だ画像の記録されていない記録媒体を収容するものである。この供給トレイ１０に収容された記録媒体Ｋは、本発明における搬送装置としての搬送ローラ１２によって搬送方向Ｘに搬送されるようになっている。
【００３４】
排出トレイ１１は、画像の記録された記録媒体Ｋを収容するものである。この排出トレイ１１には、本発明における搬送装置としての搬送ローラ１３，１３によって記録媒体Ｋが搬送されるようになっている。
【００３５】
搬送ローラ１２，１３の間には、記録媒体Ｋに画像を記録する４つの画像記録部２，…が介在している。
画像記録部２，…は、ライン記録方式によって画像を記録するものであり、記録媒体Ｋの幅方向（図の表裏方向）に延在した状態で、搬送方向Ｘに配列されている。各画像記録部２は、本発明における搬送装置として、記録媒体Ｋを搬送方向Ｘに搬送する搬送ローラ２０，２０を備えている。
【００３６】
搬送ローラ２０，２０よりも搬送方向Ｘの下流側には、記録ヘッド３，３及び照射装置４が、この順に配設されている。
【００３７】
記録ヘッド３，３は、下面に設けられた複数のインク吐出口（図示せず）から記録媒体Ｋに対して光硬化性のインク、本実施の形態においては紫外線硬化性のインクを吐出するものである。これら記録ヘッド３，３は、画像記録部２ごと異なる種類のインク、本実施の形態においては、異なる色のインクを吐出するようになっている。具体的には、搬送方向Ｘの最も上流側の画像記録部２の記録ヘッド３，３はイエローのインクを、２番目に上流側の画像記録部２の記録ヘッド３，３はマゼンダのインクを、３番目に上流側の画像記録部２の記録ヘッド３，３はシアンのインクを、４番目に上流側の画像記録部２の記録ヘッド３，３はブラックのインクを吐出するようになっている。これら記録ヘッド３，３に対して搬送方向Ｘの上流側及び下流側には、記録ヘッド３，３の前記インク吐出口を遮光する遮光部材３０，３０が配設されている。
【００３８】
照射装置４は、記録ヘッド３から吐出されたインクの着弾した着弾領域Ｋ１の記録媒体Ｋに光源４０（図２参照）から紫外線を照射することにより、記録媒体Ｋの表面でインクを硬化させるものである。この照射装置４は、本発明における第１加熱部であり、前記着弾領域Ｋ１の記録媒体Ｋを紫外線で加熱可能であるとともに、記録媒体Ｋに対する加熱量を調整可能となっている。
【００３９】
なお、照射装置４の光源４０としては、高圧水銀ランプや低圧水銀ランプ、メタルハライドランプ、ブラックライト、ＬＥＤ等を用いることができ、本実施の形態においては高圧水銀ランプまたは低圧水銀ランプが用いられている。
【００４０】
これら記録ヘッド３，３及び照射装置４の下方には、板状のプラテン板５２により記録媒体Ｋを裏面側から支持するプラテン５が配設されている。
このプラテン５は、本発明における第２加熱部であり、プラテン板５２を介してヒータ５０で記録媒体Ｋを加熱するようになっており、より詳細には、少なくとも前記着弾領域Ｋ１よりも搬送方向Ｘの上流側で、インクの着弾していない領域（以下、未着弾領域Ｋ２とする）の記録媒体Ｋを加熱するようになっている。また、このプラテン５は本発明における第３プラテンであり、プラテン板５２の被加熱部分の上面温度が温度センサ５１（図２参照）によって測定されるようになっている。
【００４１】
以上の画像記録部２，…等には、図２に示すように、本発明における第１制御部及び第２制御部としての制御部６が接続されている。なお、この図２では、図示の便宜上、各画像記録部２の記録ヘッド３を１つのみ示すとともに、搬送ローラ１２，１３や搬送ローラ２０，２０等の図示を省略している。また、便宜的に、図の上側を搬送方向Ｘの上流側、下側を下流側としている。
【００４２】
制御部６は、インクジェット記録装置１の各部を制御するものであり、インク判別部６０及び記録条件設定部６１を備えている。
インク判別部６０は、画像記録に使用するインクの種類、つまり使用する記録ヘッド３を、画像データに基づいて判別するものである。
【００４３】
記録条件設定部６１は、画像記録部２，…による画像記録の条件を設定するものであり、本実施の形態においては、後述の操作パネル６５から入力される操作指示に基づいて画像記録条件を設定するようになっている。なお、本実施の形態においては、画像記録条件として、画像記録に使用するインクの種類が用いられている。
【００４４】
これらインク判別部６０及び記録条件設定部６１には、記録ヘッド制御部６２，…、光源制御部６３，…及びヒータ制御部６４，…が接続され、それぞれ画像記録部２に１対１で対応している。
【００４５】
記録ヘッド制御部６２は、記録ヘッド駆動部３１を介して記録ヘッド３によるインクの吐出を制御するものである。
光源制御部６３は、照射装置４の光源４０への供給電力を調整することにより、この光源４０による記録媒体Ｋの加熱量を制御するものである。
【００４６】
ヒータ制御部６４は、プラテン５のヒータ５０への供給電力を調整することにより、このヒータ５０による記録媒体Ｋの加熱量を制御するものである。このヒータ制御部６４は、搬送方向Ｘにおける下流側の画像記録部２（以下、下流側画像記録部２Ｂとする）と対応している場合には、当該下流側画像記録部２Ｂよりも上流側の画像記録部２（以下、上流側画像記録部２Ａとする）の照射装置４（以下、上流側照射装置４Ａとする）の全体による記録媒体Ｋの加熱量を算出可能となっている。なお、上流側画像記録部２Ａとは、ヒータ制御部６４と対応する下流側画像記録部２Ｂよりも上流側に位置する全ての画像記録部２，…をいう。
【００４７】
制御部６には、操作パネル６５が接続されている。この操作パネル６５には、ユーザから画像記録指示や、画像記録条件などが入力されるようになっている。
【００４８】
次に、本実施形態に用いられる「インク」について説明する。
本実施形態に用いられるインクは、特に「光硬化技術−樹脂・開始剤の選定と配合条件及び硬化度の測定・評価−（技術協会情報）」に記載の「光硬化システム（第４章）」の「光酸・塩基発生剤を利用する硬化システム（第１節）」、「光誘導型交互共重合（第２節）」等に適合するインクが適用可能であり、通常のラジカル重合により硬化するものであってもよい。
【００４９】
具体的に、本実施形態に用いられるインクは、光としての紫外線の被照射により硬化する性質を具備する紫外線硬化型インクであり、主成分として、重合性化合物（公知の重合性化合物を含む。）と、光開始剤と、色材とを少なくとも含むものである。ただし、本実施形態に用いるインクとして、上記「光誘導型交互共重合（第２節）」に適合するインクを用いる場合には、光開始剤は除外されてもよい。
【００５０】
上記光硬化型インクは、重合性化合物として、ラジカル重合性化合物を含むラジカル重合系インクとカチオン重合性化合物を含むカチオン重合系インクとに大別されるが、その両系のインクが本実施形態に用いられるインクとしてそれぞれ適用可能であり、ラジカル重合系インクとカチオン重合系インクとを複合させたハイブリッド型インクを本実施形態に用いられるインクとして適用してもよい。
【００５１】
しかしながら、酸素による重合反応の阻害が少ない又は無いカチオン重合系インクのほうが機能性・汎用性に優れるため、本実施形態では、特に、カチオン重合系インクを用いている。
【００５２】
なお、本実施形態に用いられるカチオン重合系インクは、具体的に、オキセタン化合物，エポキシ化合物，ビニルエーテル化合物等のカチオン重合性化合物と、光カチオン開始剤と、色材とを少なくとも含む混合物であり、上記の通り、紫外線の照射により硬化する性質を具備するものである。
【００５３】
ところで、本実施形態に用いられるインク（ラジカル重合系インク，カチオン重合系インク及びハイブリッド型インクを含む。）は、上記の通り、紫外線の被照射により硬化するものであるが、必ずしもこれには限定されず、紫外線以外の光の被照射により硬化するものであってもよい。ここでいう「光」とは、広義の光であって、紫外線、電子線、Ｘ線、可視光線、赤外線等の電磁波を含むものである。つまり、本実施形態に用いられるインクには、紫外線以外の光で重合して硬化する重合性化合物と、紫外線以外の光で重合性化合物同士の重合反応を開始させる光開始剤とが適用されてもよい。紫外線以外の光で硬化する光硬化型のインクを本実施形態に用いられるインクとして用いる場合は、その光を照射する光源を適用しなければならない。
【００５４】
次に、本実施形態に用いられる「記録媒体Ｋ」について説明する。
本実施形態に用いられる記録媒体Ｋとしては、通常のインクジェット記録装置に適用される普通紙，再生紙，光沢紙等の各種紙，各種布地，各種不織布，樹脂，金属，ガラス等の材質からなる記録媒体が適用可能である。記録媒体Ｋの形態としては、ロール状、カットシート状、板状等が適用可能である。本実施形態では、記録媒体Ｋとして、図１に示す通りのカットシート状の樹脂製フィルムを用いている。
【００５５】
特に、本実施形態で用いられる記録媒体Ｋとして、いわゆる軟包装に用いられる透明又は不透明な非吸収性の樹脂製フィルムが適用できる。樹脂製フィルムの具体的な樹脂の種類として、ポリエチレンテレフタレート，ポリエステル，ポリオレフィン，ポリアミド，ポリエステルアミド，ポリエーテル，ポリイミド，ポリアミドイミド，ポリスチレン，ポリカーボネート，ポリ-ρ-フェニレンスルフィド，ポリエーテルエステル，ポリ塩化ビニル，ポリ(メタ)アクリル酸エステル、ポリエチレン、ポリプロピレン、ナイロン等が適用可能であり、さらには、これら樹脂の共重合体、これら樹脂の混合物、これら樹脂を架橋したもの等も適用可能である。中でも、樹脂製フィルムの樹脂の種類として、延伸したポリエチレンテレフタレート，ポリスチレン，ポリプロピレン，ナイロンのいずれかを選択するのが、樹脂製フィルムの透明性・寸法安定性・剛性・環境負荷・コスト等の面で好ましく、２〜１００μｍ（好ましくは６〜５０μｍ）の厚みを有する樹脂製フィルムを用いるのが好ましい。また、樹脂製フィルムの支持体の表面にコロナ放電処理、易接着処理等の表面処理を施してもよい。
【００５６】
さらに、本実施形態に用いられる記録媒体Ｋとして、樹脂により表面を被覆した各種紙，顔料を含むフィルム，発泡フィルム等の不透明な公知の記録媒体も適用可能である。
【００５７】
続いて、画像記録時のインクジェット記録装置１の動作について説明する。
まず、操作パネル６５を介してユーザから画像記録指示及び画像記録条件が入力されると、画像記録に使用するインクの種類を記録条件設定部６１が設定する。
【００５８】
次に、制御部６は、搬送ローラ１２，１３や搬送ローラ２０，２０によって記録媒体Ｋの搬送を開始する。
次に、記録ヘッド制御部６２は、画像データと、記録条件設定部６１によって設定されたインク種類とに基づいて、記録ヘッド３から記録媒体Ｋの表面にインクを吐出させる。
【００５９】
そして、光源制御部６３は、画像データと、記録条件設定部６１によって設定されたインク種類とに基づいて、照射装置４の光源４０に紫外線を照射させるとともに、記録媒体Ｋを加熱させる。これにより、記録媒体Ｋの着弾領域Ｋ１のインクが硬化し、記録媒体Ｋの表面に画像が記録される。
【００６０】
このとき、光源制御部６３は、画像データと、記録条件設定部６１によって設定されたインク種類とに基づいて、光源４０による記録媒体Ｋの加熱量を制御する。具体的には、光源制御部６３は、対応する画像記録部２の記録ヘッド３，３がインクを吐出しないときには、吐出するときと比較して照射装置４による記録媒体Ｋの加熱量を低減し、本実施の形態においては０にする、つまり、光源４０をＯＦＦにする。これにより、記録媒体Ｋが不必要に加熱されるのが防止されるとともに、不必要な加熱による電力消費が低減される。
【００６１】
また、ヒータ制御部６４は、例えば以下の表１に示すように、プラテン５のヒータ５０による記録媒体Ｋの加熱量を制御する。なお、表１中、「記録部」とは画像記録部２を示し、「１番目の記録部」とは搬送方向Ｘにおいて最も上流側の画像記録部２を示す。
【００６２】
【表１】
2007083574.tif 000003
【００６３】
即ち、ヒータ制御部６４は、対応する画像記録部２の記録ヘッド３，３がインクを吐出しないとき、つまり光源４０がＯＦＦのときには、ヒータ５０による記録媒体Ｋの加熱量を０にする。
【００６４】
また、ヒータ制御部６４は、最も上流側の画像記録部２と対応している場合には、この画像記録部２の記録ヘッド３，３がインクを吐出するとき、つまり光源４０がＯＮのときに、ヒータ５０による加熱量を所定の値、本実施の形態においては３０Ｗｈにする（表１の制御パターン「２」，「６」等参照）。
【００６５】
また、ヒータ制御部６４は、前記下流側画像記録部２Ｂと対応している場合には、この下流側画像記録部２Ｂの記録ヘッド３，３がインクを吐出するときに、前記上流側照射装置４Ａの光源４０の加熱量、本実施の形態においては点灯状態に基づいて、下流側画像記録部２Ｂのプラテン５（以下、下流側プラテン５Ｂとする）のヒータ５０による記録媒体Ｋの加熱量を制御する。
【００６６】
具体的には、ヒータ制御部６４は、対応する下流側画像記録部２Ｂの記録ヘッド３，３がインクを吐出するときに、上流側照射装置４Ａ，…の全体による記録媒体Ｋの加熱量が光源制御部６３，…によって０にされていない場合には、この加熱量が０にされている場合と比較して、下流側プラテン５Ｂによる記録媒体Ｋの加熱量を低減する。例えば表１では、各上流側照射装置４Ａの光源４０がＯＦＦの場合、つまり、上流側照射装置４Ａ，…の全体による加熱量が０の場合には、下流側プラテン５Ｂによる記録媒体Ｋの加熱量を３０Ｗｈとするのに対し（表１の制御パターン「２」〜「４」等参照）、何れかの上流側照射装置４Ａの光源４０がＯＮの場合、つまり、上流側照射装置４Ａ，…の全体による加熱量が０でない場合には、下流側プラテン５Ｂによる記録媒体Ｋの加熱量を４．５Ｗｈ、８．４Ｗｈまたは１１．７Ｗｈに低減している（表１の制御パターン「６」〜「１６」参照）。
【００６７】
また、ヒータ制御部６４は、対応する下流側画像記録部２Ｂの記録ヘッド３，３がインクを吐出するときに、上流側照射装置４Ａ，…全体による記録媒体Ｋの加熱量が０にされておらず、当該下流側画像記録部２Ｂのすぐ上流側の上流側照射装置４Ａによる記録媒体Ｋの加熱量が０にされている場合には、この加熱量が０にされていない場合と比較して、下流側プラテン５Ｂによる記録媒体Ｋの加熱量を増加させる。例えば表１では、対応する下流側画像記録部２Ｂのすぐ上流側の上流側照射装置４Ａの光源４０がＯＮの場合には、下流側プラテン５Ｂによる記録媒体Ｋの加熱量を４．５Ｗｈとするのに対し（表１の制御パターン「６」，「９」，「１１」等参照）、すぐ上流側の上流側照射装置４Ａの光源４０がＯＦＦの場合には、下流側プラテン５Ｂによる記録媒体Ｋの加熱量を８．４Ｗｈまたは１１．７Ｗｈに増加させている（表１の制御パターン「７」，「８」，「１０」，「１３」，「１４」参照）。
【００６８】
これにより、記録媒体Ｋが搬送されるにつれて照射装置４やプラテン５から加えられる熱が記録媒体Ｋに蓄積されるのが防止され、記録媒体Ｋの温度が略一定に保たれる。
【００６９】
以上のようなインクジェット記録装置１によれば、照射装置４による記録媒体Ｋの加熱量を低減することにより、記録媒体Ｋが不必要に加熱されるのを防止することができるため、従来と異なり、記録媒体Ｋの歪みや劣化を防止することができる。また、記録媒体Ｋの歪みを防止することができるため、記録媒体Ｋの搬送不良を防止することができる。
【００７０】
また、下流側プラテン５Ｂによる記録媒体Ｋの加熱量を制御することにより、記録媒体Ｋが搬送されるにつれて照射装置４やプラテン５により加えられる熱が記録媒体Ｋに蓄積されるのを防止し、記録媒体Ｋの温度を略一定に保つことができるため、記録媒体Ｋの歪みや劣化をより確実に防止することができる。
【００７１】
なお、上記第１の実施の形態においては、光源制御部６３は光源４０への供給電力を調整することによって光源４０による記録媒体Ｋの加熱量を制御することとして説明したが、照射装置４に設けられたシャッタや絞り（図示せず）によって制御することとしても良い。
【００７２】
＜第２の実施の形態＞
次に、本発明の第２の実施の形態について説明する。なお、上記第１の実施の形態と同様の構成要素には同一の符号を付し、その説明を省略する。
【００７３】
図３は、本発明に係るインクジェット記録装置１Ａの概略構成を示す側面図である。
この図に示すように、インクジェット記録装置１Ａの画像記録部９，…は、プラテン７を備えている。
【００７４】
このプラテン７は、搬送方向Ｘの上流側に配設された第１プラテン７０と、下流側に配設された第２プラテン７２とを有している。
【００７５】
第１プラテン７０は、板状のプラテン板７４によって前記着弾領域Ｋ１の記録媒体Ｋを裏面側から支持するものである。また、第１プラテン７０は本発明における第１加熱部であり、プラテン板７４を介して前記着弾領域Ｋ１の記録媒体Ｋをヒータ７１で加熱するようになっている。また、この第１プラテン７０は本発明における第３プラテンであり、プラテン板７４の被加熱部分の上面温度が温度センサ５１によって測定されるようになっている。
【００７６】
第２プラテン７２は、板状のプラテン板７５によって前記未着弾領域Ｋ２の記録媒体Ｋを裏面側から支持するものである。また、第２プラテン７２は本発明における第２加熱部であり、プラテン板７５を介して前記未着弾領域Ｋ２の記録媒体Ｋをヒータ７３で加熱するようになっている。
【００７７】
なお、本実施の形態においては、第１プラテン７０のプラテン板７４と、第２プラテン７２のプラテン板７５とは、互いに一体に形成されている。
【００７８】
これら第１プラテン７０のヒータ７１や第２プラテン７２のヒータ７３等には、図４に示すように、本発明における第１制御部及び第２制御部としての制御部８が接続されている。なお、この図４では、図示の便宜上、各画像記録部９の記録ヘッド３を１つのみ示すとともに、搬送ローラ１２，１３や搬送ローラ２０，２０等の図示を省略している。また、便宜的に、図の上側を搬送方向Ｘの上流側、下側を下流側としている。
【００７９】
制御部８は、インクジェット記録装置１Ａの各部を制御するものであり、光源制御部６３Ａ，…、第１ヒータ制御部８０，…及び第２ヒータ制御部８１，…を、それぞれ画像記録部９に１対１で対応付けた状態で備えている。
【００８０】
光源制御部６３Ａは、照射装置４の光源４０による紫外線の照射を制御するものであり、本実施の形態においては、照射装置４による照射量を画像記録中で一定に維持するようになっている。
【００８１】
第１ヒータ制御部８０は、第１プラテン７０のヒータ７１への供給電力を調整することにより、このヒータ７１による記録媒体Ｋの加熱量を制御するものである。
【００８２】
第２ヒータ制御部８１は、第２プラテン７２のヒータ７３への供給電力を調整することにより、このヒータ７３による記録媒体Ｋの加熱量を制御するものである。この第２ヒータ制御部８１は、搬送方向Ｘにおける下流側の画像記録部９（以下、下流側画像記録部９Ｂとする）と対応している場合には、当該下流側画像記録部９Ｂよりも上流側の画像記録部９（以下、上流側画像記録部９Ａとする）の第１プラテン７０（以下、上流側第１プラテン７０Ａとする）の全体による記録媒体Ｋの加熱量を算出可能となっている。
【００８３】
続いて、画像記録時のインクジェット記録装置１Ａの動作について説明する。
まず、操作パネル６５を介してユーザから画像記録指示及び画像記録条件が入力されると、画像記録に使用するインクの種類を記録条件設定部６１が設定する。
【００８４】
次に、制御部８は、搬送ローラ１２，１３や搬送ローラ２０，２０によって記録媒体Ｋの搬送を開始する。
次に、記録ヘッド制御部６２は、画像データと、記録条件設定部６１によって設定されたインク種類とに基づいて、記録ヘッド３から記録媒体Ｋの表面にインクを吐出させる。
【００８５】
そして、光源制御部６３Ａが照射装置４の光源４０に紫外線を照射させる。これにより、記録媒体Ｋの着弾領域Ｋ１のインクが硬化し、記録媒体Ｋの表面に画像が記録される。
【００８６】
このとき、第１ヒータ制御部８０は、画像データと、記録条件設定部６１によって設定されたインク種類とに基づいて、第１プラテン７０による記録媒体Ｋの加熱量を制御する。具体的には、第１ヒータ制御部８０は、対応する画像記録部９の記録ヘッド３，３がインクを吐出しないときには、吐出するときと比較して第１プラテン７０のヒータ７１による記録媒体Ｋの加熱量を低減し、本実施の形態においては０にする、つまり、ヒータ７１をＯＦＦにする。これにより、記録媒体Ｋが不必要に加熱されるのが防止されるとともに、不必要な加熱による電力消費が低減される。
【００８７】
また、第２ヒータ制御部８１は、第２プラテン７２のヒータ７３による記録媒体Ｋの加熱量を制御する。
即ち、第２ヒータ制御部８１は、対応する画像記録部９の記録ヘッド３，３がインクを吐出しないとき、つまり第１プラテン７０のヒータ７１がＯＦＦのときには、ヒータ７３による記録媒体Ｋの加熱量を０にする。
【００８８】
また、第２ヒータ制御部８１は、最も上流側の画像記録部９と対応している場合には、この画像記録部９の記録ヘッド３，３がインクを吐出するとき、つまり第１プラテン７０のヒータ７１がＯＮのときに、ヒータ７３による加熱量を所定の値にする。
【００８９】
また、第２ヒータ制御部８１は、前記下流側画像記録部９Ｂと対応している場合には、この下流側画像記録部９Ｂの記録ヘッド３，３がインクを吐出するときに、前記上流側第１プラテン７０Ａによる記録媒体Ｋの加熱量に基づいて、下流側画像記録部９Ｂの第２プラテン７２（以下、下流側第２プラテン７２Ｂとする）のヒータ７３による記録媒体Ｋの加熱量を制御する。
【００９０】
具体的には、第２ヒータ制御部８１は、対応する下流側画像記録部９Ｂの記録ヘッド３，３がインクを吐出するときに、上流側第１プラテン７０Ａ，…のヒータ７１，…全体による記録媒体Ｋの加熱量が第１ヒータ制御部８０，…によって０にされていない場合には、この加熱量が０にされている場合と比較して、下流側第２プラテン７２Ｂのヒータ７３による記録媒体Ｋの加熱量を低減する。
【００９１】
また、第２ヒータ制御部８１は、対応する下流側画像記録部９Ｂの記録ヘッド３，３がインクを吐出するときに、上流側第１プラテン７０Ａ，…のヒータ７１，…全体による記録媒体Ｋの加熱量が０にされておらず、この下流側画像記録部２Ｂのすぐ上流側の上流側第１プラテン７０Ａのヒータ７１による記録媒体Ｋの加熱量が０にされている場合には、この加熱量が０にされていない場合と比較して、下流側第２プラテン７２Ｂのヒータ７３による記録媒体Ｋの加熱量を増加させる。
【００９２】
これにより、記録媒体Ｋが搬送されるにつれてプラテン７から加えられる熱が記録媒体Ｋに蓄積されるのが防止され、記録媒体Ｋの温度が略一定に保たれる。
【００９３】
以上のようなインクジェット記録装置１Ａによっても、上記第１の実施の形態と同様の効果を得ることができる。
【００９４】
なお、上記第２の実施の形態においては、第２ヒータ制御部８１は、前記上流側第１プラテン７０Ａのヒータ７１による記録媒体Ｋの加熱量に基づいて下流側第２プラテン７２Ｂのヒータ７３による記録媒体Ｋの加熱量を制御することとして説明したが、上流側第１プラテン７０Ａのヒータ７１による記録媒体Ｋの加熱量と、上流側第１プラテン７０Ａの温度センサ５１による測定温度または上流側画像記録部９Ａの第２プラテン７２のヒータ７３による記録媒体の加熱量とに基づいて制御することとしても良い。この場合、上流側第１プラテン７０の温度センサ５１による測定温度や、上流側画像記録部９Ａのヒータ７３による記録媒体Ｋの加熱量は、第２ヒータ制御部８１によって算出可能にすることが好ましい。
【００９５】
＜第３の実施の形態＞
次に、本発明の第３の実施の形態について説明する。なお、上記第１，第２の実施の形態と同様の構成要素には同一の符号を付し、その説明を省略する。
図１に示すように、本実施の形態におけるインクジェット記録装置１Ｄの画像記録部２Ｄ，…は、プラテン５Ｄを備えている。
【００９６】
プラテン５Ｄは、プラテン板５２を介してヒータ５０Ｄで記録媒体Ｋを加熱するようになっており、より詳細には、少なくとも前記着弾領域Ｋ１よりも搬送方向Ｘの上流側で、未着弾領域Ｋ２の記録媒体Ｋを加熱するようになっている。
【００９７】
このプラテン５Ｄ等には、図２に示すように、本発明における第１制御部としての制御部６Ｄが接続されている。
制御部６Ｄは、プラテン５Ｄのヒータ５０Ｄによる記録媒体Ｋの加熱量を制御するヒータ制御部６４Ｄを、画像記録部２Ｄに１対１で対応付けた状態で備えている。このヒータ制御部６４Ｄは、ヒータ５０Ｄによる加熱量を画像記録中で一定に維持するようになっている。
【００９８】
続いて、画像記録時のインクジェット記録装置１Ｄの動作について説明する。
まず、操作パネル６５を介してユーザから画像記録指示及び画像記録条件が入力されると、画像記録に使用するインクの種類を記録条件設定部６１が設定する。
【００９９】
次に、制御部６Ｄは、搬送ローラ１２，１３や搬送ローラ２０，２０によって記録媒体Ｋの搬送を開始する。
次に、記録ヘッド制御部６２は、画像データと、記録条件設定部６１によって設定されたインク種類とに基づいて、記録ヘッド３から記録媒体Ｋの表面にインクを吐出させる。
【０１００】
そして、ヒータ制御部６４Ｄは、プラテン５Ｄのヒータ５０Ｄに記録媒体Ｋを加熱させる。また、光源制御部６３は、画像データと、記録条件設定部６１によって設定されたインク種類とに基づいて、照射装置４の光源４０に紫外線を照射させるとともに、記録媒体Ｋを加熱させる。これにより、記録媒体Ｋの着弾領域Ｋ１のインクが硬化し、記録媒体Ｋの表面に画像が記録される。
【０１０１】
このとき、光源制御部６３は、画像データと、記録条件設定部６１によって設定されたインク種類とに基づいて、光源４０による記録媒体Ｋの加熱量を制御する。具体的には、光源制御部６３は、対応する画像記録部２Ｄの記録ヘッド３，３がインクを吐出しないときには、吐出するときと比較して照射装置４による記録媒体Ｋの加熱量を低減し、本実施の形態においては０にする、つまり、光源４０をＯＦＦにする。これにより、記録媒体Ｋが不必要に加熱されるのが防止されるとともに、不必要な加熱による電力消費が低減される。
【０１０２】
以上のようなインクジェット記録装置１Ｄによれば、記録媒体Ｋが不必要に加熱されるのを防止することができるため、従来と異なり、記録媒体Ｋの歪みや劣化を防止することができる。また、記録媒体Ｋの歪みを防止することができるため、記録媒体Ｋの搬送不良を防止することができる。
【０１０３】
＜第４の実施の形態＞
次に、本発明の第４の実施の形態について説明する。なお、上記第１〜第３の実施の形態と同様の構成要素には同一の符号を付し、その説明を省略する。
【０１０４】
図２に示すように、本実施の形態におけるインクジェット記録装置１Ｅは、制御部６Ｅを備えている。この制御部６Ｅは、本発明における第２制御部であり、光源制御部６３E及びヒータ制御部６４Ｅを、画像記録部２に１対１で対応付けた状態で有している。
【０１０５】
光源制御部６３Eは、照射装置４の光源４０による紫外線の照射を制御するものであり、本実施の形態においては、照射装置４による照射量、つまり記録媒体Ｋの加熱量を変更可能となっている。
ヒータ制御部６４Ｅは、プラテン５のヒータ５０への供給電力を調整することにより、このヒータ５０による記録媒体Ｋの加熱量を制御するものである。
【０１０６】
続いて、画像記録時のインクジェット記録装置１Ｅの動作について説明する。
まず、操作パネル６５を介してユーザから画像記録指示及び画像記録条件が入力されると、画像記録に使用するインクの種類を記録条件設定部６１が設定する。
【０１０７】
次に、制御部６Ｅは、搬送ローラ１２，１３や搬送ローラ２０，２０によって記録媒体Ｋの搬送を開始する。
次に、記録ヘッド制御部６２は、画像データと、記録条件設定部６１によって設定されたインク種類とに基づいて、記録ヘッド３から記録媒体Ｋの表面にインクを吐出させる。
【０１０８】
そして、光源制御部６３Eが照射装置４の光源４０に紫外線を照射させる。これにより、記録媒体Ｋの着弾領域Ｋ１のインクが硬化し、記録媒体Ｋの表面に画像が記録される。
【０１０９】
このとき、ヒータ制御部６４Ｅは、プラテン５のヒータ５０による記録媒体Ｋの加熱量を制御する。
即ち、ヒータ制御部６４Ｅは、対応する画像記録部２の記録ヘッド３，３がインクを吐出しないとき、つまり光源４０がＯＦＦのときには、ヒータ５０による記録媒体Ｋの加熱量を０にする。
【０１１０】
また、ヒータ制御部６４Ｅは、最も上流側の画像記録部２と対応している場合には、この画像記録部２の記録ヘッド３，３がインクを吐出するとき、つまり光源４０がＯＮのときに、ヒータ５０による加熱量を所定の値にする。
【０１１１】
また、ヒータ制御部６４Ｅは、前記下流側画像記録部２Ｂと対応している場合には、この下流側画像記録部２Ｂの記録ヘッド３，３がインクを吐出するときに、前記上流側照射装置４Ａの光源４０の加熱量に基づいて、下流側プラテン５Ｂのヒータ５０による記録媒体Ｋの加熱量を制御する。具体的には、ヒータ制御部６４Ｅは、対応する下流側画像記録部２Ｂの記録ヘッド３，３がインクを吐出するときに、上流側照射装置４Ａ，…の全体による記録媒体Ｋの加熱量が所定の第１加熱量よりも大きい場合には、小さい場合と比較して下流側プラテン５Ｂによる記録媒体Ｋの加熱量を低減し、上流側照射装置４Ａ，…の全体による記録媒体Ｋの加熱量が所定の第２加熱量よりも小さい場合には、大きい場合と比較して下流側プラテン５Ｂによる記録媒体Ｋの加熱量を増加させる。これにより、記録媒体Ｋが搬送されるにつれて照射装置４やプラテン５から加えられる熱が記録媒体Ｋに蓄積されるのが防止され、記録媒体Ｋの温度が略一定に保たれる。なお、上述の第１加熱量と第２加熱量とは、同一の値であっても良いし、異なる値であっても良い。
【０１１２】
以上のようなインクジェット記録装置１Ｅによれば、記録媒体Ｋが搬送されるにつれて照射装置４やプラテン５により加えられる熱が記録媒体Ｋに蓄積されるのを防止し、記録媒体Ｋの温度を略一定に保つことができるため、記録媒体Ｋの歪みや劣化を防止することができる。
【０１１３】
なお、上記第４の実施の形態においては、本発明における第１加熱部を照射装置４として説明したが、上記第２の実施の形態と同様に第１プラテン７０としても良い。
【０１１４】
また、上記第１及び第４の実施の形態においては、ヒータ制御部６４，６４Ｅは、上流側照射装置４Ａによる記録媒体Ｋの加熱量に基づいて下流側プラテン５Ｂによる記録媒体Ｋの加熱量を制御することとして説明したが、上流側照射装置４Ａによる記録媒体Ｋの加熱量と、上流側画像記録部２Ａの温度センサ５１による測定温度または上流側画像記録部２Ａのヒータ５０による記録媒体Ｋの加熱量とに基づいて制御することとしても良い。この場合、上流側画像記録部２Ａの温度センサ５１による測定温度や、上流側画像記録部２Ａのヒータ５０による記録媒体Ｋの加熱量は、ヒータ制御部６４，６４Ｅによって算出可能にすることが好ましい。
【０１１５】
また、ヒータ制御部６４，６４Ｅは、下流側プラテン５Ｂのヒータ５０による記録媒体Ｋの加熱量としてヒータ５０に対する電力量（Ｗｈ）を用いることとして説明したが、以下の表２，表３に示すように、ヒータ５０に対する設定温度（℃）を用いることとしても良い。ここで、表３では、ヒータ制御部６４，６４Ｅは、上流側照射装置４Ａによる記録媒体Ｋの加熱量と、上流側画像記録部２Ａのヒータ５０による記録媒体Ｋの加熱量とに基づいて下流側プラテン５Ｂのヒータ５０による記録媒体Ｋの加熱量を制御しており、具体的には、対応する下流側画像記録部２Ｂの下流側プラテン５Ｂのヒータ５０をＯＮにする場合に、この下流側画像記録部２Ｂのすぐ上流側の上流側画像記録部２Ａのヒータ５０に対する設定温度が２７℃，２５℃であるときには、下流側プラテン５Ｂのヒータ５０に対する設定温度を２７℃から２５℃，２３℃に低減するようになっている（表２，表３の制御パターン「１２」，「１５」，「１６」参照）。
【０１１６】
【表２】
2007083574.tif 000004
【０１１７】
【表３】
2007083574.tif 000005
【０１１８】
また、上記第１、第２及び第４の実施の形態においては、本発明における第２加熱部をプラテン５，７として説明したが、図５，図６に示すように、記録媒体Ｋを加熱可能に構成された搬送ローラ２０Ａ，２０Ａや、記録媒体Ｋから離れて配設される非接触加熱装置２０Ｂとしても良い。但し、図５，図６では、ヒータ５０，７１等の図示を省略している。
【０１１９】
また、上記第１〜第４の実施の形態においては、制御部６，８等は画像データと、記録条件設定部６１で設定されたインク種類とに基づいて光源４０，ヒータ７１等を制御することとして説明したが、画像データと、インク判別部６０で判別されたインク種類とに基づいて制御することとしても良い。
【０１２０】
また、制御部６，８等はインク判別部６０及び記録条件設定部６１を備えることとして説明したが、これらインク判別部６０及び記録条件設定部６１の何れか一方のみを備えることとしても良い。
【０１２１】
また、光源制御部６３，第１ヒータ制御部８０は、画像記録に使用するインク種類と、画像データとに基づいて記録媒体Ｋの加熱量を制御することとして説明したが、何れか一方のみに基づいて加熱量を制御することとしても良い。
【０１２２】
また、インクジェット記録装置１，１Ａ等は画像記録部２，２Ｄ，９を４つ備えることとして説明したが、例えば図７に示すように３つ以下備えることとしても良いし、５つ以上備えることとしても良い。
【０１２３】
また、各画像記録部２，９等に備えられる２つの記録ヘッド３，３は同色のインクを吐出することとして説明したが、異なる色のインクを吐出することとしても良い。
【０１２４】
また、画像記録部２，９等は記録ヘッド３を２つ備えることとして説明したが、図７に示すように、１つのみ備えることとしても良いし、３つ以上備えることとしても良い。但し、この図７では、ヒータ５０，７１等の図示を省略している。
【０１２５】
また、各画像記録部２，９等が別体のプラテン板５２，７４等を備えることとして説明したが、図８に示すように、一体に形成されたのプラテン板５２Ａを備えることとしても良い。但し、この図８では、ヒータ５０，７１等の図示を省略している。
【０１２６】
また、カットシート状の記録媒体Ｋを用いることとして説明したが、図８に示すように、ロール状に巻かれた長尺な記録媒体Ｋを用いることとしても良い。
【図面の簡単な説明】
【０１２７】
【図１】本発明に係るインクジェット記録装置の概略構成を示す側面図である。
【図２】本発明に係るインクジェット記録装置の概略構成を示すブロック図である。
【図３】本発明に係るインクジェット記録装置の変形例の概略構成を示す側面図である。
【図４】本発明に係るインクジェット記録装置の変形例の概略構成を示すブロック図である。
【図５】本発明に係るインクジェット記録装置の変形例の概略構成を示す側面図である。
【図６】本発明に係るインクジェット記録装置の変形例の概略構成を示す側面図である。
【図７】本発明に係るインクジェット記録装置の変形例の概略構成を示す側面図である。
【図８】本発明に係るインクジェット記録装置の変形例の概略構成を示す側面図である。
【符号の説明】
【０１２８】
１，１Ａ，１Ｄ，１Ｅ      インクジェット記録装置
２，２Ｄ，９              画像記録部
３                        記録ヘッド
４                        照射装置（第１加熱部）
５                        プラテン（第２加熱部，第３プラテン）
６，８                    制御部（第１制御部，第２制御部）
６Ｄ                      制御部（第１制御部）
６Ｅ                      制御部（第２制御部）
１２，１３，２０，２０Ａ  搬送ローラ（搬送装置）
２０Ｂ                    非接触加熱装置
７０                      第１プラテン（第１加熱部、第３プラテン）
７２                      第２プラテン（第２加熱部）
Ｋ                        記録媒体
Ｋ１                      着弾領域の記録媒体
Ｘ                        搬送方向
【図１】
2007083574.tif 000006
【図２】
2007083574.tif 000007
【図３】
2007083574.tif 000008
【図４】
2007083574.tif 000009
【図５】
2007083574.tif 000010
【図６】
2007083574.tif 000011
【図７】
2007083574.tif 000012
【図８】
2007083574.tif 000013